(57)【要約】【課題】手入れが簡単で使い勝手の良いグリルを提供する。【解決手段】グリルは、グリル庫に出し入れ可能な支持枠９と、その支持枠９上に支持されて凹部１９を有する汁受け皿１０と、その汁受け皿１０の上方に焼き網台１１を介して支持される焼き網１２とを備え、焼き網台１１を支持枠９及び汁受け皿１０と別体に形成すると共に、焼き網台１１の下部に凹部１９に嵌合する嵌合部２１を形成して、焼き網台１１を汁受け皿１０上に載置した。【選択図】図３
2014202431.tif 000002
【特許請求の範囲】
【請求項１】
グリル庫に出し入れ可能な支持枠と、その支持枠上に支持されて凹部を有する汁受け皿と、その汁受け皿の上方に焼き網台を介して支持される焼き網とを備えたグリルであって、
前記焼き網台を前記支持枠及び前記汁受け皿と別体に形成すると共に、前記焼き網台の下部に前記凹部に嵌合する嵌合部を形成して、前記焼き網台を前記汁受け皿上に載置したことを特徴とするグリル。
【請求項２】
前記焼き網台を、金属製の棒材によって形成したことを特徴とする請求項１に記載のグリル。
【発明の詳細な説明】
【技術分野】
【０００１】
本発明は、グリル庫に出し入れ可能な焼き網を備えるグリルに関する。
【背景技術】
【０００２】
グリルは、特許文献１に開示の如く、グリル扉の開閉操作によってグリル庫内に出し入れ可能な支持枠を備え、支持枠上に、グリル皿（汁受け皿）が載置可能であると共に、支持枠の前後にそれぞれ立設した台座によって、焼き網がグリル皿の上方で支持可能となっている。よって、支持枠を出し入れすることで、グリル皿と焼き網とが同時に出し入れ可能となる。
【先行技術文献】
【特許文献】
【０００３】
【特許文献１】特開２０１１−２５４９５５号公報
【発明の概要】
【発明が解決しようとする課題】
【０００４】
しかし、特許文献１のグリルにおいては、汁受け皿に隠れる支持枠については汚れが付着しにくいにもかかわらず、支持枠と台座とが一体になっているため、汚れのない支持枠ごと台座をグリルから取り出して洗い場に持ち運んで全体を洗う必要があり、非常に面倒となっている。また、台座が突出する支持枠を洗う際にシンク等を傷つけるおそれもあった。
【０００５】
そこで、本発明は、手入れが簡単で使い勝手の良いグリルを提供することを目的としたものである。
【課題を解決するための手段】
【０００６】
上記目的を達成するために、請求項１に記載の発明は、グリル庫に出し入れ可能な支持枠と、その支持枠上に支持されて凹部を有する汁受け皿と、その汁受け皿の上方に焼き網台を介して支持される焼き網とを備えたグリルであって、焼き網台を支持枠及び汁受け皿と別体に形成すると共に、焼き網台の下部に凹部に嵌合する嵌合部を形成して、焼き網台を汁受け皿上に載置したことを特徴とするものである。
請求項２に記載の発明は、請求項１の構成において、焼き網台を、金属製の棒材によって形成したことを特徴とするものである。
【発明の効果】
【０００７】
請求項１に記載の発明によれば、焼き網台を個別に取り外すことができ、洗い場等への持ち運びや手入れの点で便利となって使い勝手が良好となる。また、汁受け皿の下にあって汚れにくい支持枠を洗う必要がないので、シンク等を傷つける恐れも生じない。さらに、焼き網台の下部の嵌合部を汁受け皿の凹部に嵌合させて位置決めできるので、焼き網台を誤りなく常に適正位置にセットできる上、汁受け皿に位置決め用の孔等を設ける必要がないので、汁受け皿から油等が漏れる心配もない。
請求項２に記載の発明によれば、請求項１の効果に加えて、低コストで製造できる上、別体にした焼き網台を汁受け皿上の適正位置へ簡単にセットすることができる。また、焼き網台をスポンジ等で簡単に洗うことができる。
【図面の簡単な説明】
【０００８】
【図１】テーブルコンロの斜視図である。
【図２】グリルの断面図である。
【図３】支持枠、汁受け皿、焼き網台、焼き網の斜視図である。
【図４】支持枠上に汁受け皿及び焼き網台をそれぞれセットした状態の斜視図である。
【図５】支持枠上に汁受け皿及び焼き網台、焼き網をそれぞれセットした状態の斜視図である。
【発明を実施するための形態】
【０００９】
以下、本発明の実施の形態を図面に基づいて説明する。
図１は、テーブルコンロの斜視図で、テーブルコンロ１は、器体２の上部に左右一対のコンロ部３，３を備える一方、器体２内の中央にグリル４を備えている。このグリル４は、図２にも示すように、器体２内で区画形成されるグリル庫５を備え、グリル庫５内の天板には、燃焼面を下向きにした上バーナ６が設けられる一方、グリル庫５内の下側左右には、下バーナ７，７がそれぞれ備えられている。８は、器体２の上部後方に設けられたグリル排気口である。
また、グリル庫５の底部には、前方から出し入れ可能に収納される支持枠９が設けられ、支持枠９上に、図３にも示すように、汁受け皿１０と、焼き網台１１と、焼き網１２とがそれぞれ設けられて、支持枠９の出し入れに伴ってグリル庫５から同時に出し入れ可能となっている。
【００１０】
まず、支持枠９は、矩形状に折り曲げ形成される金属製の枠体１３と、その枠体１３内で長手方向の両端に固着される支持板１４，１４とからなり、手前側の支持板１４に形成した起立部１５には、グリル扉１６が着脱可能に装着される。また、各支持板１４には、一対のボス部１７，１７がそれぞれ形成されている（グリル扉１６側の２個のボス部については図示を省略）。この支持枠９は、グリル庫５の左右に設けられたレール状の支持枠受け１８，１８（図２に図示）によって前後方向へスライド可能にガイドされている。
【００１１】
次に、汁受け皿１０は、平面視矩形状で、長手方向が支持枠９よりも短い寸法に、短手方向が支持枠９の幅と略同じ寸法にそれぞれ形成されている。汁受け皿１０の中央には、平面視矩形状のの凹部１９が形成されて、その凹部１９の周縁部２は、外方向に広がるフランジ部２０が形成されている。凹部１９は、支持枠９に載せた状態で、支持板１４，１４の間に位置して支持枠９に嵌合可能な大きさとなっている。
【００１２】
次に、焼き網台１１は、金属製の棒材を連続状に折り曲げ形成してなる枠状で、下部には、汁受け皿１０の凹部１９に嵌合する一対の嵌合部２１，２１が形成されている。また、嵌合部２１，２１の長手方向の両端には、汁受け皿１０のフランジ部２０に乗り上がる段部２２，２２・・がそれぞれ形成されて、短手方向で隣り合う一対の段部２２，２２からは、中央が突出部２４となる凸字状の立ち上がり部２３がそれぞれ形成されている。
【００１３】
そして、焼き網１２は、金属製の大径の棒材によって平面視矩形状に形成される外枠２５と、金属製の小径の棒材によって外枠２５内で長手方向に所定間隔をおいて複数配設される短手方向の内枠２６，２６・・とからなり、短手方向の両端は斜め上向きにそれぞれ傾斜している。また、外枠２５における長手方向の両端には、焼き網台１１の立ち上がり部２３の左右上部に係止する一対の突部２７，２７がそれぞれ形成されている。
【００１４】
以上の如く構成されたグリル４においては、支持枠９上に、まず汁受け皿１０を、凹部１９を支持板１４，１４の間に合わせて載置すると、汁受け皿１０は、図４に示すように、凹部１９が支持板１４，１４の間に嵌合してフランジ部２０が支持板１４，１４のボス部１７，１７上に乗ることで、前後左右に移動規制された状態でセットされる。
【００１５】
次に、焼き網台１１を、嵌合部２１，２１を汁受け皿１０の凹部１９に合わせて載置する。すると、焼き網台１１は、嵌合部２１，２１が凹部１９の左右の内面に沿った位置で凹部１９に嵌合し、各段部２２が凹部１９からフランジ部２０に乗り上がることで、立ち上がり部２３がフランジ部２０の端縁からそれぞれ上方へ突出する位置で前後左右に移動規制された状態でセットされる。
最後に焼き網１２を、焼き網台１１の立ち上がり部２３，２３の間で、突部２７，２７が立ち上がり部２３の突出部２４の左右に位置するようにして載置する。すると、焼き網１２は、図５に示すように、両端が立ち上がり部２３，２３にそれぞれ係止することで、汁受け皿１０の上方で水平に支持される。
【００１６】
こうして汁受け皿１０、焼き網台１１、焼き網１２を載置した支持枠９を、グリル庫５の支持枠受け１８，１８にガイドさせながらグリル庫５内に押し込むと、図１，２のように焼き網１２が上下バーナ６，７の間で支持されることになる。よって、焼き網１２上に載置した被調理物を上下バーナ６，７によって加熱調理することができる。
【００１７】
そして、加熱調理によって汚れた焼き網１２や焼き網台１１を洗いたい場合、図５のようにグリル扉１６によって支持枠９をグリル庫５から引き出した状態で、まず焼き網１２を焼き網台１１から取り外し、次に焼き網台１１を汁受け皿１０から取り外して、最後に汁受け皿１０を支持枠９から取り外せば、焼き網１２、焼き網台１１、汁受け皿１０をそれぞれ個別に洗うことができる。但し、立ち上がり部２３の突出部２４を把持することで、焼き網台１１を焼き網１２ごと取り外すこともできる。
【００１８】
このように、上記形態のグリル４によれば、焼き網台１１を支持枠９及び汁受け皿１０と別体に形成すると共に、焼き網台１１の下部に凹部１９に嵌合する嵌合部２１を形成して、焼き網台１１を汁受け皿１０上に載置したことで、焼き網台１１を個別に取り外すことができ、洗い場等への持ち運びや手入れの点で便利となって使い勝手が良好となる。また、汁受け皿１０の下にあって汚れにくい支持枠９を洗う必要がないので、シンク等を傷つける恐れも生じない。さらに、焼き網台１１の下部の嵌合部２１を汁受け皿１０の凹部１９に嵌合させて位置決めできるので、焼き網台１１を誤りなく常に適正位置にセットできる上、汁受け皿１０に位置決め用の孔等を設ける必要がないので、汁受け皿１０から油等が漏れる心配もない。
【００１９】
特にここでは、焼き網台１１を、金属製の棒材によって形成したことで、低コストで製造できる上、別体にした焼き網台１１を汁受け皿１０上の適正位置へ簡単にセットすることができる。また、焼き網台１１をスポンジ等で簡単に洗うことができる。
【００２０】
なお、上記形態では、支持枠を棒材と支持板とによって形成しているが、棒材のみ或いは板材のみで形成しても差し支えない。また、焼き網台も、棒材のみに限らず、板材と組み合わせて形成することも可能である。
さらに、上記形態では両面焼きのグリルについて説明しているが、片面焼きのグリルであっても本発明の適用は妨げない。
その他、上記形態ではテーブルコンロのグリルについて説明しているが、ビルトインコンロに組み込まれるグリルであっても本発明は適用可能である。
【符号の説明】
【００２１】
１・・テーブルコンロ、２・・器体、４・・グリル、５・・グリル庫、６・・上バーナ、７・・下バーナ、９・・支持枠、１０・・汁受け皿、１１・・焼き網台、１２・・焼き網、１３・・枠体、１４・・支持板、１９・・凹部、２０・・フランジ部、２１・・嵌合部、２２・・段部、２３・・立ち上がり部、２５・・外枠、２６・・内枠。
【図１】
2014202431.tif 000003
【図２】
2014202431.tif 000004
【図３】
2014202431.tif 000005
【図４】
2014202431.tif 000006
【図５】
2014202431.tif 000007